(57)【要約】【課題】  静電気の放電による破壊や誤動作が防止された小型で信頼性の高いカメラシステム、並びに、そのカメラシステムを構成するカメラ本体および撮像レンズユニットを提供することを目的とする。【解決手段】  撮像レンズユニット１１０と通信するための本体側電気接点１７０と、マウント部１５１の開口を塞ぐ、カメラ本体１５０のグランドに接続されたマウントバリア１５２とを有するカメラ本体１５０、および撮像レンズユニット１１０のグランドに接続され、装着時にマウントバリア１５２に当接して撮像レンズユニット１１０とカメラ本体１５０のグランドどうしを接続するとともにマウントバリア１５２をマウント部１５１の凹部奥に向けて押圧する押圧部１２０と、押圧部１２０が押圧を開始した後において本体側電気接点１７０と電気的に接続される撮像レンズユニット側電気接点１２１とを有する撮像レンズユニット１１０を備えた。【選択図】        図４
2005316437.tif 000002
【特許請求の範囲】
【請求項１】
撮影光学系と撮像素子とを備えた撮像レンズユニットと、前記撮像レンズユニットが着脱自在に装着される凹形状のマウント部を備えて該マウント部に装着された撮像レンズユニットと通信を行い該撮像レンズユニットから画像信号を受け取って信号処理を行うカメラ本体とを有する、撮像レンズユニット着脱式のカメラシステムにおいて、
前記カメラ本体が、前記マウント部内部に配備された、前記撮像レンズユニットとの間で通信を行うための本体側電気接点と、前記マウント部開口を塞ぐとともに、前記撮像レンズユニットの装着時に該撮像レンズユニットに押されて前記マウント部の凹部奥に後退する、該カメラ本体の電気的なグランドに接続されたグランド接点を有するマウントバリアとを備え、
前記撮像レンズユニットが、該撮像レンズユニットの電気的なグランドに接続され、装着時に前記グランド接点に当接して該撮像レンズユニットと前記カメラ本体との間のグランドどうしを接続するとともに該マウントバリアを前記マウント部の凹部奥に向けて押圧する押圧部と、装着時における、前記カメラ本体から見て前記押圧部よりも該カメラ本体から離れた位置に配備され、装着時において該押圧部が該マウントバリアを前記マウント部の凹部奥に向けて押圧を開始した後において前記本体側電気接点と電気的に接続される撮像レンズユニット側電気接点とを備えたことを特徴とするカメラシステム。
【請求項２】
前記マウントバリアは、バネ付勢を受けて前記マウント開口を塞ぐものであって、
前記撮像レンズユニットの装着時に前記押圧部に押されて前記マウント部の凹部奥に後退するとともに該撮像レンズユニットの取り外し時には前記バネ付勢により前記マウント開口を塞ぐ位置に戻るものであることを特徴とする請求項１記載のカメラシステム。
【請求項３】
前記グランド接点は、前記カメラ本体の電気的なグランドに接続された、該マウントバリア表面のほぼ中央部に形成された板状のグランド接点であることを特徴とする請求項１記載のカメラシステム。
【請求項４】
前記グランド接点は、前記カメラ本体の電気的なグランドに接続された、該マウントバリア表面に形成された環状のグランド接点であることを特徴とする請求項１記載のカメラシステム。
【請求項５】
前記グランド接点は、前記カメラ本体の電気的なグランドに接続された、該マウントバリア表面に、該マウントバリアの中央部を取り巻くように配置された複数のグランドパッドからなるものであることを特徴とする請求項１記載のカメラシステム。
【請求項６】
前記押圧部は、装着時に前記マウントバリア側を向く面の中央に該マウントバリアに向いて突出した突起を有するものであることを特徴とする請求項１、追加項１、又は追加項２記載のカメラシステム。
【請求項７】
前記押圧部は、装着時に前記マウントバリア側を向く面に、該面の中央部を取り巻くように形成された、該マウントバリアに向けて突出した複数の突起を有するものであることを特徴とする請求項１、追加項１、追加項２、又は追加項３記載のカメラシステム。
【請求項８】
前記本体側電気接点および前記撮像レンズユニット側電気接点は、
前記カメラ本体からの前記撮像レンズユニットの取り外し時において、前記押圧部と前記マウントバリアとの接触が継続されている段階で電気的に相互に離れる位置に配備されていることを特徴とする請求項１記載のカメラシステム。
【請求項９】
前記カメラ本体が、該カメラ本体のグランドに接続されるとともに、前記撮像レンズユニット装着時に該撮像レンズユニットに押されて前記マウント部の凹部奥に向けて押圧されてきた前記マウントバリア背面に接触して、該マウントバリアの、グランドとしてのインピーダンスを下げる接点部材を備えたことを特徴とする請求項１記載のカメラシステム。
【請求項１０】
撮影光学系と撮像素子とを備えた撮像レンズユニットが着脱自在に装着される凹形状のマウント部を備えて該マウント部に装着された撮像レンズユニットと通信を行い該撮像レンズユニットから画像信号を受け取って信号処理を行うカメラ本体において、
前記マウント部内部に配備された、前記撮像レンズユニットとの間で通信を行うための本体側電気接点と、
前記マウント部開口を塞ぐとともに、前記撮像レンズユニットの装着時に該撮像レンズユニットに押されて前記マウント部の凹部奥に後退する、該カメラ本体の電気的なグランドに接続されたグランド接点を有するマウントバリアとを備えたものであることを特徴とするカメラ本体。
【請求項１１】
前記グランド接点は、前記カメラ本体の電気的なグランドに接続された、該マウントバリア表面のほぼ中央部に形成された板状のグランド接点であることを特徴とする請求項４記載のカメラ本体。
【請求項１２】
前記グランド接点は、前記カメラ本体の電気的なグランドに接続された、該マウントバリア表面に形成された環状のグランド接点であることを特徴とする請求項４記載のカメラ本体。
【請求項１３】
前記グランド接点は、前記カメラ本体の電気的なグランドに接続された、該マウントバリア表面に、該マウントバリアの中央部を取り巻くように配置された複数のグランドパッドからなるものであることを特徴とする請求項４記載のカメラ本体。
【請求項１４】
凹形状のマウント部を備えたカメラ本体の該マウント部に着脱自在に装着される、撮影光学系と撮像素子とを備え該撮像素子で得られた画像信号をカメラ本体に送信する撮像レンズユニットにおいて、
前記カメラ本体が、前記マウント部内部に配備された、前記撮像レンズユニットとの間で通信を行うための本体側電気接点と、前記マウント部開口を塞ぐとともに、前記撮像レンズユニットの装着時に該撮像レンズユニットに押されて前記マウント部の凹部奥に後退する、該カメラ本体の電気的なグランドに接続されたグランド接点を有するマウントバリアとを備えたものであって、
この撮像レンズユニットが、
該撮像レンズユニットの電気的なグランドに接続され、装着時に前記グランド接点に当接して該撮像レンズユニットと前記カメラ本体との間のグランドどうしを接続するとともに該マウントバリアを前記マウント部の凹部奥に向けて押圧する押圧部と、
装着時における、前記カメラ本体から見て前記押圧部よりも該カメラ本体から離れた位置に配備され、装着時において該押圧部が該マウントバリアを前記マウント部の凹部奥に向けて押圧を開始した後において前記本体側電気接点と電気的に接続される撮像レンズユニット側電気接点とを備えたことを特徴とする撮像レンズユニット。
【請求項１５】
前記押圧部は、装着時に前記マウントバリア側を向く面の中央に該マウントバリアに向いて突出した突起を有するものであることを特徴とする請求項５記載の撮像レンズユニット。
【請求項１６】
前記押圧部は、装着時に前記マウントバリア側を向く面に、該面の中央部を取り巻くように形成された、該マウントバリアに向けて突出した複数の突起を有するものであることを特徴とする請求項５記載の撮像レンズユニット。
【発明の詳細な説明】
【技術分野】
【０００１】
本発明は、撮影光学系と撮像素子とを備えた撮像レンズユニット、その撮像レンズユニットが着脱自在に装着されるカメラ本体、およびそれら撮像レンズユニットとカメラ本体とからなるカメラシステムに関する。
【背景技術】
【０００２】
従来、銀塩カメラの分野では、撮影レンズがカメラ本体に着脱自在に装着されるレンズ着脱式のカメラシステムが知られている。
【０００３】
近年、デジタルカメラの分野においても、銀塩カメラの分野と同様に、レンズユニット着脱式のデジタルカメラが提案されており、例えば、撮影レンズと撮像素子とを一体化したレンズユニットの基端部外周に複数の突起部を形成するとともに、カメラ本体に設けたレンズマウントに上記突起部が係合する係合部を形成しておき、レンズユニット装着時には、レンズユニット側の突起部をレンズマウントの係合部に係合させてレンズユニットを回動させることによりレンズユニット側とカメラ本体側の双方のコネクタが接続されるようにしたレンズユニット交換式のカメラシステムが開示されている（例えば、特許文献１参照。）。
【０００４】
しかし、上記特許文献１に開示されたカメラシステムでは、レンズユニットがカメラ本体に装着されていない時には、カメラ本体側のコネクタの電気接点が露出しており、静電気に帯電した手などが近づくと電気接点に放電して内部の素子が破壊したり、カメラシステムが誤動作したりするなどトラブルの原因となることがある。また、レンズユニット側が静電気に帯電している状態でカメラ本体に接続された場合には、帯電したレンズユニット側からカメラ本体側に放電が起こり、カメラ本体内部の素子が破壊されたり誤動作したりすることもある。
【０００５】
また、着脱自在な撮影レンズが装着されるレンズマウント部と、撮影レンズにより結像された被写体像を撮像する撮像手段とを備えたカメラにおいて、撮影レンズがカメラに未装着の状態で人体などから静電気が印加されても、カメラが誤動作をしないようにするため、レンズマウント部に撮影レンズが装着されているか否かを検出するレンズ検出手段と、そのレンズ検出手段により撮影レンズの装着が検出されない時には、撮像手段への電源供給を遮断する電源遮断手段とを備えたカメラが開示されている（例えば、特許文献２参照。）。
【特許文献１】特開２００３−１５６７９０号公報（第２−３頁、図３）
【特許文献２】特開平９−５８５０号公報（第２−４頁、図３）
【発明の開示】
【発明が解決しようとする課題】
【０００６】
しかし、上記特許文献２に開示されたカメラでは、撮影レンズの装着の有無を検出するレンズ検出手段、および撮影レンズが未装着の時に撮像手段への電源供給を遮断する電源遮断手段を備える必要があるため、コストアップを招きやすいという問題がある。
【０００７】
また、このカメラでは、電源供給が遮断されるため、誤動作は防止できるが、カメラ本体側の電気接点と内部回路とが電気的に接続されている以上、電源供給が遮断されたからといって静電気に帯電した人体などから電気接点に放電して内部回路が破壊される危険性は未解決のまま残っている。
【０００８】
本発明は、上記事情に鑑み、撮像レンズユニットの装着時および非装着時における静電気の放電による破壊や誤動作が防止された小型で信頼性の高いカメラシステム、並びに、そのカメラシステムを構成するカメラ本体および撮像レンズユニットを提供することを目的とする。
【課題を解決するための手段】
【０００９】
上記目的を達成する本発明のカメラシステムは、
撮影光学系と撮像素子とを備えた撮像レンズユニットと、上記撮像レンズユニットが着脱自在に装着される凹形状のマウント部を備えてそのマウント部に装着された撮像レンズユニットと通信を行いその撮像レンズユニットから画像信号を受け取って信号処理を行うカメラ本体とを有する、撮像レンズユニット着脱式のカメラシステムにおいて、
上記カメラ本体が、上記マウント部内部に配備された、上記撮像レンズユニットとの間で通信を行うための本体側電気接点と、上記マウント部開口を塞ぐとともに、上記撮像レンズユニットの装着時にその撮像レンズユニットに押されて上記マウント部の凹部奥に後退する、そのカメラ本体の電気的なグランドに接続されたグランド接点を有するマウントバリアとを備え、
上記撮像レンズユニットが、その撮像レンズユニットの電気的なグランドに接続され、装着時に上記マウントバリアに当接してその撮像レンズユニットと上記カメラ本体との間のグランドどうしを接続するとともにそのマウントバリアを上記マウント部の凹部奥に向けて押圧する押圧部と、装着時における、上記カメラ本体から見て上記押圧部よりもそのカメラ本体から離れた位置に配備され、装着時においてその押圧部がそのマウントバリアを上記マウント部の凹部奥に向けて押圧を開始した後において上記本体側電気接点と電気的に接続される撮像レンズユニット側電気接点とを備えたことを特徴とする。
【００１０】
本発明のカメラシステムによれば、カメラ本体に撮像レンズユニットが装着されていない時にはカメラ本体の電気的なグランドに接続されたグランド接点を有するマウントバリアによって、本体側電気接点は覆われており、さらに、カメラ本体に撮像レンズユニットが装着される時には、撮像レンズユニット側電気接点と本体側電気接点とが電気的に接続される前に、撮像レンズユニットの電気的なグランドとカメラ本体の電気的なグランドとが接続されるので、撮像レンズユニットの装着時と非装着時とを問わず、静電気の放電による破壊や誤動作を防止することができる。
【００１１】
ここで、上記マウントバリアは、バネ付勢を受けて上記マウント開口を塞ぐものであって、上記撮像レンズユニットの装着時に上記押圧部に押されて上記マウント部の凹部奥に後退するとともにその撮像レンズユニットの取り外し時には上記バネ付勢により上記マウント開口を塞ぐ位置に戻るものであることが好ましい。
【００１２】
本発明のカメラシステムを上記のような構成とした場合は、バネを取り付けるだけの簡単な構成によって、撮像レンズユニット取り外し後のカメラ本体を、静電気の放電による破壊や誤動作やゴミの進入などから保護することが可能となる。
【００１３】
また、上記グランド接点は、上記カメラ本体の電気的なグランドに接続された、該マウントバリア表面のほぼ中央部に形成された板状のグランド接点であってもよい。
【００１４】
本発明のカメラシステムを上記のような構成とした場合は、このカメラ本体側の板状のグランド接点と、撮像レンズユニットの押圧部との接触が容易となるので、静電気の放電による破壊からカメラシステムを確実に保護することができる。
【００１５】
また、上記グランド接点は、上記カメラ本体の電気的なグランドに接続された、該マウントバリア表面に形成された環状のグランド接点であってもよい。
【００１６】
本発明のカメラシステムを上記のような構成とした場合は、このカメラ本体側の環状のグランド接点と、撮像レンズユニットの押圧部との接触抵抗を低下させることが可能となるので、静電気の放電による破壊からカメラシステムを確実に保護することができる。
【００１７】
さらに、上記グランド接点は、上記カメラ本体の電気的なグランドに接続された、該マウントバリア表面に、該マウントバリアの中央部を取り巻くように配置された複数のグランドパッドからなるものであってもよい。
【００１８】
本発明のカメラシステムを上記のような構成とした場合は、このマウントバリアの中央部を取り巻くように配置された複数のグランドパッドからなるグランド接点と、撮像レンズユニットの押圧部との接触抵抗を低下させることが可能となるので、静電気の放電による破壊からカメラシステムを確実に保護することができる。
【００１９】
また、上記押圧部は、装着時に上記マウントバリア側を向く面の中央に該マウントバリアに向いて突出した突起を有するものであってもよい。
【００２０】
本発明のカメラシステムを上記のような構成とした場合は、この突起と、カメラ本体のグランド接点との接触が容易となるので、静電気の放電による破壊からカメラシステムを確実に保護することができる。
【００２１】
また、上記押圧部は、装着時に上記マウントバリア側を向く面に、該面の中央部を取り巻くように形成された、該マウントバリアに向けて突出した複数の突起を有するものであってもよい。
【００２２】
本発明のカメラシステムを上記のような構成とした場合は、この突起と、カメラ本体のグランド接点との接触抵抗を低下させることが可能となるので、静電気の放電による破壊からカメラシステムを確実に保護することができる。
【００２３】
また、上記本体側電気接点および上記撮像レンズユニット側電気接点は、
上記カメラ本体からの上記撮像レンズユニットの取り外し時において、上記押圧部と上記マウントバリアとの接触が継続されている段階で電気的に相互に離れる位置に配備されていることが好ましい。
【００２４】
本発明のカメラシステムを上記のような構成とした場合は、撮像レンズユニットのカメラ本体からの取り外し時における静電気の放電による破壊や誤動作からより確実に保護することが可能となる。
【００２５】
また、上記カメラ本体が、該カメラ本体のグランドに接続されるとともに、上記撮像レンズユニット装着時に該撮像レンズユニットに押されて上記マウント部の凹部奥に向けて押圧されてきた上記マウントバリア背面に接触して、該マウントバリアの、グランドとしてのインピーダンスを下げる接点部材を備えたものであってもよい。
【００２６】
本発明のカメラシステムを上記のような構成とした場合は、低インピーダンスの接点部材を用いてマウントバリアのグランドとしてのインピーダンスを低下させることにより、カメラ本体と撮像レンズユニットとの間に低インピーダンスのグランドを形成することができるので、静電気の放電によるカメラ本体の破壊を一層確実に防止することが可能となる。
【００２７】
また、上記目的を達成する本発明のカメラ本体は、
撮影光学系と撮像素子とを備えた撮像レンズユニットが着脱自在に装着される凹形状のマウント部を備えてそのマウント部に装着された撮像レンズユニットと通信を行いその撮像レンズユニットから画像信号を受け取って信号処理を行うカメラ本体において、
上記マウント部内部に配備された、上記撮像レンズユニットとの間で通信を行うための本体側電気接点と、
上記マウント部開口を塞ぐとともに、上記撮像レンズユニットの装着時にその撮像レンズユニットに押されて上記マウント部の凹部奥に後退する、そのカメラ本体の電気的なグランドに接続されたグランド接点を有するマウントバリアとを備えたものであることを特徴とする。
【００２８】
本発明のカメラ本体によれば、カメラ本体に撮像レンズユニットが装着されていない時には、マウント部開口を塞いで本体側電気接点をカメラ本体内部に覆い、カメラ本体に撮像レンズユニットが装着される時には、マウント部の凹部奥に後退する、カメラ本体の電気的なグランドに接続されたグランド接点を有するマウントバリアを備えているので、撮像レンズユニットの装着時と非装着時とを問わず、カメラ本体の静電気の放電による破壊や誤動作を防止することができる。
【００２９】
ここで、上記グランド接点は、上記カメラ本体の電気的なグランドに接続された、該マウントバリア表面のほぼ中央部に形成された板状のグランド接点であってもよい。
【００３０】
本発明のカメラ本体を上記のような構成とした場合は、この板状のグランド接点と、撮像レンズユニットの押圧部との接触が容易となるので、静電気の放電による破壊からカメラシステムを確実に保護することができる。
【００３１】
また、上記グランド接点は、上記カメラ本体の電気的なグランドに接続された、該マウントバリア表面に形成された環状のグランド接点であってもよい。
【００３２】
本発明のカメラ本体を上記のような構成とした場合は、この環状のグランド接点と、撮像レンズユニットの押圧部との接触抵抗を低下させることが可能となるので、静電気の放電による破壊からカメラシステムを確実に保護することができる。
【００３３】
また、上記グランド接点は、上記カメラ本体の電気的なグランドに接続された、該マウントバリア表面に、該マウントバリアの中央部を取り巻くように配置された複数のグランドパッドからなるものであってもよい。
【００３４】
本発明のカメラ本体を上記のような構成とした場合は、このマウントバリアの中央部を取り巻くように配置された複数のグランドパッドからなるグランド接点と、撮像レンズユニットの押圧部との接触抵抗を低下させることが可能となるので、静電気の放電による破壊からカメラシステムを確実に保護することができる。
【００３５】
また、上記目的を達成する本発明の撮像レンズユニットは、
凹形状のマウント部を備えたカメラ本体のそのマウント部に着脱自在に装着される、撮影光学系と撮像素子とを備えその撮像素子で得られた画像信号をカメラ本体に送信する撮像レンズユニットにおいて、
上記カメラ本体が、上記マウント部内部に配備された、上記撮像レンズユニットとの間で通信を行うための本体側電気接点と、上記マウント部開口を塞ぐとともに、上記撮像レンズユニットの装着時にその撮像レンズユニットに押されて上記マウント部の凹部奥に後退する、そのカメラ本体の電気的なグランドに接続されたグランド接点を有するマウントバリアとを備えたものであって、
この撮像レンズユニットが、
その撮像レンズユニットの電気的なグランドに接続され、装着時に上記マウントバリアに当接してその撮像レンズユニットと上記カメラ本体との間のグランドどうしを接続するとともにそのマウントバリアを上記マウント部の凹部奥に向けて押圧する押圧部と、
装着時における、上記カメラ本体から見て上記押圧部よりもそのカメラ本体から離れた位置に配備され、装着時においてその押圧部がそのマウントバリアを上記マウント部の凹部奥に向けて押圧を開始した後において上記本体側電気接点と電気的に接続される撮像レンズユニット側電気接点とを備えたことを特徴とする。
【００３６】
本発明の撮像レンズユニットによれば、上記のような押圧部を備えたことにより、カメラ本体に撮像レンズユニットが装着される時には、撮像レンズユニット側電気接点と本体側電気接点とが電気的に接続される前に、撮像レンズユニットの電気的なグランドとカメラ本体の電気的なグランドが接続されるので、静電気の放電による破壊や誤動作を簡単な構成で確実に防止することができる。
【００３７】
ここで、上記押圧部は、装着時に上記マウントバリア側を向く面の中央に該マウントバリアに向いて突出した突起を有するものであってもよい。
【００３８】
本発明の撮像レンズユニットを上記のような構成とした場合は、この突起と、カメラ本体のグランド接点との接触が容易となるので、静電気の放電による破壊からカメラシステムを確実に保護することができる。
【００３９】
また、上記押圧部は、装着時に上記マウントバリア側を向く面に、該面の中央部を取り巻くように形成された、該マウントバリアに向けて突出した複数の突起を有するものであってもよい。
【００４０】
本発明の撮像レンズユニットを上記のような構成とした場合は、この突起と、カメラ本体のグランド接点との接触抵抗を低下させることが可能となるので、静電気の放電による破壊からカメラシステムを確実に保護することができる。
【発明の効果】
【００４１】
以上説明したように、本発明によれば、上記のように構成したことにより、撮像レンズユニットの装着時および非装着時における静電気の放電による破壊や誤動作が防止された小型で信頼性の高いカメラシステム、並びに、そのカメラシステムを構成するカメラ本体および撮像レンズユニットを実現することができる。
【発明を実施するための最良の形態】
【００４２】
以下図面を参照して本発明の実施の形態を説明する。
【００４３】
図１は、本発明のカメラシステムの各実施形態に共通の外観図である。
【００４４】
図１に示すように、このカメラシステム１００は、撮像レンズユニット１１０とカメラ本体１５０とを有する撮像レンズユニット着脱式のカメラシステムであり、撮像レンズユニット１１０の基部に設けた複数の突起部１０１を、カメラ本体１５０側の、撮像レンズユニット１１０が着脱自在に装着される凹形状のマウント部１５１の内側に設けられた、上記突起部１０１と係合する係合部１０２に係合させて撮像レンズユニット１１０をカメラ本体１５０に装着するようになっている。
【００４５】
撮像レンズユニット１１０は、撮影光学系１１１および撮像素子（図示せず）を備えており、カメラ本体１５０は、上記マウント部１５１と、マウント部１５１内部に撮像レンズユニット１１０との間で通信を行うための本体側電気接点（図示せず）と、マウント部１５１の開口を塞ぐとともに、撮像レンズユニット１１０の装着時に撮像レンズユニット１１０に押されてマウント部１５１の凹部奥に後退する、カメラ本体１５０の電気的なグランドに接続された板状のグランド接点１３０を有するマウントバリア１５２とを備え、マウント部１５１に装着される撮像レンズユニット１１０と通信を行い、撮像レンズユニット１１０から画像信号を受け取って信号処理を行うようになっている。
【００４６】
図２は、図１に示すカメラシステムの撮像レンズユニット装着時のカメラ本体を示す図である。
【００４７】
このカメラ本体１５０は、撮像レンズユニット（図示せず）が装着された後には、図２に示すように、マウントバリア１５２は撮像レンズユニットに備えられた押圧部（図示せず）に押されてマウント部１５１の凹部奥に後退する。
【００４８】
この時、マウントバリア１５２表面のほぼ中央部に形成された板状のグランド接点１３０と上記押圧部との接触により後述するように撮像レンズユニットおよびカメラ本体双方のグランドどうしが電気的に接続されて同電位となる。この状態で撮像レンズユニット１１０を所定の方向に回転することにより、撮像レンズユニット１１０側の突起部１０１（図１参照）とマウント部１５１の内側に設けられた係合部１０２とが係合し、それとともに撮像レンズユニット側電気接点（図示せず）と本体側電気接点１２１とが電気的に接続されて撮像レンズユニット１１０とカメラ本体１５０との装着が完了する。
【００４９】
上記押圧部およびグランド接点の種々の態様については、図６〜図１０を参照して後述する。
【００５０】
なお、上記の説明では、図１および図２に示したような突起部１０１および係合部１０２による回転式の係合方式のカメラシステムについて説明したが、本発明のカメラシステムは上記の係合方式のみに限られるものではなく、例えば、撮像レンズユニットをカメラ本体１５０のマウント部に押し当てるだけで係合が行われる係合方式を採用したものであってもよい。
【００５１】
図３は、本発明のカメラシステムの各実施形態に共通のブロック図である。
【００５２】
図３に示すように、このカメラシステム１００は、撮影光学系と撮像素子と備えた撮像レンズユニット１１０と、その撮像レンズユニット１１０が着脱自在に装着される凹形状のマウント部１５１を備え、マウント部１５１に装着された撮像レンズユニット１１０と通信を行い撮像レンズユニット１１０から画像信号を受け取って信号処理を行うカメラ本体１５０とを有するカメラシステムである。
【００５３】
撮像レンズユニット１１０には、上述の押圧部１２０、および撮像レンズユニット側電気接点１２１のほかに、カメラ操作者からの操作指示を受ける撮像レンズユニット操作部１１８、自動露出制御／自動焦点制御などを行うＡＥ／ＡＦ制御回路１１６、撮像レンズユニット１１０内の各部の動作を制御するサブＣＰＵ（Ｃｅｎｔｒａｌ  Ｐｒｏｃｅｓｓｉｎｇ  Ｕｎｉｔ）１１７、撮像レンズユニット側電気接点１２１を介してカメラ本体１５０から受け取ったＤＣ電圧を、撮像レンズユニット１１０内の各部が必要とするＤＣ電圧に変換して供給するＤＣ／ＤＣコンバータ１１９などが備えられている。
【００５４】
撮影光学系１１１で撮影され、撮像素子１１２から出力された画像信号（ＣＣＤ＿ＲＡＷ）はアナログ処理回路１１３でゲイン調整、ノイズ低減などの処理が行われた後、Ａ／Ｄ（Ｄｉｇｉｔａｌ／Ａｎａｌｏｇ）変換器１１４でデジタル信号に変換され、パラレル／シリアル変換伝送インターフェース１１５によりシリアル信号に変換された後、撮像レンズユニット側電気接点１２１および本体側電気接点１７０を介してカメラ本体１５０に送信される。なお、撮像素子１１２としては、ＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などを用いることができる。
【００５５】
なお、押圧部１２０、撮像レンズユニット側電気接点１２１、マウント部１５１、マウントバリア１５２、および本体側電気接点１７０の構造については、図４、図５を参照して詳細に説明する。
【００５６】
カメラ本体１５０は、上述の本体側電気接点１７０、マウント部１５１、およびマウントバリア１５２のほかに、カメラ操作者からの操作指示を受けるカメラ本体操作部１５３、カメラ本体１５０全体の制御を司るＣＰＵ１５４、撮像レンズユニット１１０から受け取ったＣＣＤ＿ＲＡＷ信号のホワイトバランス補正やγ補正を行ったりＹＣｂＣｒ信号（輝度／色相差信号）に変換したりする信号処理ブロック１６２、ＣＣＤ＿ＲＡＷ信号、ＹＣｂＣｒ信号、圧縮後のデータなどを一時保存するメモリバッファ１６１、メモリバッファ１６１を制御するメモリコントローラ１５６、撮像レンズユニット１１０との間の送受信信号のパラレル／シリアル変換処理を行うパラレル／シリアル変換伝送インターフェース１５５、ＹＣｂＣｒ信号を圧縮／伸長する圧縮伸長ブロック１６３、メモリバッファ１６１に保存されたデジタル信号をアナログ信号に変換するＤ／Ａ変換器１５７、Ｄ／Ａ変換器１５７でアナログ信号に変換された画像情報を表示する、例えばＬＣＤ（Ｌｉｑｕｉｄ  Ｃｒｙｓｔａｌ  Ｄｉｓｐｌａｙ ）などからなる表示部１５８、圧縮された画像情報を外部の、例えば、メモリカードなどの記憶媒体１８０に記録するためのメディアインターフェース１５９およびコネクタ１６０、カメラ本体１５０の各部に必要な電源を供給するとともに本体側電気接点１７０を介して撮像レンズユニット１１０側に必要な電源を供給する電源部１６４などを備えている。
【００５７】
なお、図３は、本発明のカメラシステムの一実施形態を示したものであり、本発明のカメラシステムは、上記実施形態のみに限定されるものではなく、例えば、撮像レンズのバリエーション、ＣＣＤの画素数、動画撮影用／静止画撮影用、手振れ補正などの撮影補助機構の有無、立体映像撮影用の複数のＣＣＤおよびレンズを備えたカメラシステムなど、用途に応じて種々の形態のカメラシステムとして構成することができる。
【００５８】
次に、第１の実施形態のカメラシステムにおける撮像レンズユニットをカメラ本体に装着する前および装着した後の詳細構造について説明する。
【００５９】
図４は、第１の実施形態のカメラシステムの撮像レンズユニット装着前の断面図である。
【００６０】
図４には、カメラ本体１５０の上に、装着前の撮像レンズユニット１１０が載置され、撮像レンズユニット１１０の押圧部１２０が、カメラ本体１５０側のマウントバリア１５２に形成されたグランド接点１３０に接触している状態が示されている。この段階では、撮像レンズユニット側の突起部１０１（図１参照）およびその突起部１０１と係合する係合部１０２（図１参照）は、まだ互いに係合されてはおらず、撮像レンズユニット側電気接点１２１と本体側電気接点１７０とは互いに離れた位置にある。
【００６１】
カメラ本体１５０には、撮像レンズユニット１１０が着脱自在に装着される凹形状のマウント部１５１が備えられており、マウント部１５１内部には、本体側電気接点１７０と、マウントバリア１５２とが備えられている。本体側電気接点１７０は、カメラ本体１５０内に設けられた、ＣＰＵ１５４（図３参照）などの各素子が実装された回路基板１７３に接続されており、撮像レンズユニット側電気接点１２１と接続されることにより、カメラ本体１５０と撮像レンズユニット１１０との間の送受信が可能となる。
【００６２】
マウントバリア１５２は、マウント部１５１の開口を塞ぐとともに、撮像レンズユニット１１０の装着時に撮像レンズユニット１１０に押されてマウント部１５１の凹部奥に後退するものであり、このマウントバリア１５２に形成されているグランド接点１３０はバネ１７１を介して、カメラ本体１５０内の回路基板１７３の電気的なグランドである導体１７４と接続されている。このマウントバリア１５２は、本体側電気接点１７０を静電気から保護するとともに、カメラ本体１５０内部へのゴミの進入を防ぐためのものであり、アルミニウムなどの導体で形成されている。
【００６３】
撮像レンズユニット１１０には、撮像光学系１１１（図１参照）などのほかに、図４に示すように、撮像レンズユニット側電気接点１２１および押圧部１２０が備えられている。
【００６４】
撮像レンズユニット側電気接点１２１は、撮像レンズユニット１１０内に設けられた、サブＣＰＵ１１７（図３参照）などの各素子が実装された回路基板１２３に接続されている。この撮像レンズユニット側電気接点１２１は、撮像レンズユニット装着時における、カメラ本体１５０から見て押圧部１２０よりもカメラ本体１５０から離れた位置に備えられており、装着時において押圧部１２０がマウントバリア１５２をマウント部１５１の凹部奥に向けて押圧を開始した後に本体側電気接点１７０と電気的に接続される。
【００６５】
押圧部１２０は、撮像レンズユニット１１０内の回路基板１２３の電気的なグランドである導体１２４に接続され、装着時にカメラ本体１５０のマウントバリア１５２に形成されたグランド接点１３０に当接して撮像レンズユニット１１０とカメラ本体１５０との間のグランドどうしを接続する。
【００６６】
なお、上記マウントバリア１５２は、バネ１７１による付勢を受けてマウント部１５１の開口を塞ぐようになっており、撮像レンズユニット１１０がカメラ本体１５０に装着される時には押圧部１２０に押されてマウント部１５１の凹部奥に後退するとともに撮像レンズユニット１１０がカメラ本体１５０から取り外された時にはバネ１７１の付勢によりマウント部１５１の開口を塞ぐ位置に戻るようになっている。バネ１７１の一端はマウントバリア１５２に取り付けられており、他端はカメラ本体１５０に内蔵されている各種の素子が組み込まれた回路基板１７３のグランドである導体１７４に取り付けられている。このように、マウントバリアにバネを取り付けただけの簡単な構成によって、撮像レンズユニット取り外し後のカメラ本体を、静電気の放電による破壊や誤動作やゴミの進入などから保護することができる。
【００６７】
図５は、第１の実施形態のカメラシステムの撮像レンズユニット装着後の断面図である。
【００６８】
図４に示した状態から、撮像レンズユニット１１０をカメラ本体１５０に装着するには、撮像レンズユニット１１０に備えられた押圧部１２０により、カメラ本体１５０側のマウントバリア１５２をマウント部１５１の凹部奥に押圧し、その後撮像レンズユニットを所定の方向に回転させて、撮像レンズユニット１１０側の突起部１０１（図１参照）とカメラ本体１５０側の係合部１０２（図１参照）とを互いに係合させることにより、図５に示した装着状態とすることができる。
【００６９】
本実施形態では、マウント部１５１の開口は、撮像レンズユニット１１０が装着されていない時にはマウントバリア１５２により塞がれているが、撮像レンズユニット１１０が装着される時にはマウントバリア１５２は撮像レンズユニット１１０の押圧部１２０に押されてマウント部１５１の凹部奥に後退する。
【００７０】
この時に、押圧部１２０に接続されている撮像レンズユニット１１０側のグランドである導体１２４と、マウントバリア１５２のグランド接点１３０に接続されているカメラ本体１５０側のグランドである導体１７４とがバネ１７１を介して互いに接続され、撮像レンズユニット１１０のグランドとカメラ本体１５０側のグランドとが同電位となる。
【００７１】
このように、撮像レンズユニット１１０のグランドとカメラ本体１５０側のグランドとは同電位となっているので、もし、静電気に帯電した方の手で撮像レンズユニット１１０を持ち、もう一方の手でカメラ本体１５０の不導体部分を支持していたとしても、撮像レンズユニット１１０とカメラ本体１５０との間に発生する数キロボルトの電位差を持つ電荷は、本体側電気接点１７０と撮像レンズユニット側電気接点１２１とが接近する以前に、押圧部１２０を介してカメラ本体１５０側に放電され、双方の電気接点間に高電圧が印加されることが防止される。
【００７２】
こうして、撮像レンズユニット１１０のグランドとカメラ本体１５０のグランドとが同電位となった状態で、撮像レンズユニット１１０がマウント部１５１の凹部奥まで挿入され、撮像レンズユニット１１０がレンズ光軸を中心に所定の方向に回転されることにより前述の突起部１１０（図１参照）と係合部１０２とが係合され、それとともに、本体側電気接点１７０と撮像レンズユニット側電気接点１２１とが接続される。撮像レンズユニット側電気接点１２１および本体側電気接点１７０は、それぞれ、電源、グランド、ＣＣＤ＿ＲＡＷ信号、ＡＥ／ＡＦ用制御信号、撮像レンズユニット制御信号などの複数の電気接点から構成されており、上記のように、撮像レンズユニット側電気接点１２１と本体側電気接点１７０とが接続されることによって撮像レンズユニット１１０とカメラ本体１５０との間の電源の授受および各種信号の送受信が可能となる。
【００７３】
また、本実施形態では、カメラ本体１５０から撮像レンズユニット１１０を取り外す時において、押圧部１２０とマウントバリア１５２との接触が継続されている段階で電気的に相互に離れる位置に配備されている。
【００７４】
そのため、カメラ本体１５０から撮像レンズユニット１１０を取り外す時には、撮像レンズユニット１１０をレンズ光軸を中心に装着時とは逆の方向に回転することにより、前述の突起部１１０（図１参照）と係合部１０２との係合が解除されるとともに本体側電気接点１７０と撮像レンズユニット側電気接点１２１との接続が解除されるが、この双方の電気接点の接続の解除が完了した時点においても、押圧部１２０とマウントバリア１５２との接触が継続されており、双方の電気接点の接続の解除が完了した後に撮像レンズユニット１１０のグランドとカメラ本体１５０のグランドとの接続が解除される。従って、静電気に帯電した手で撮像レンズユニット１１０を掴んだ場合であっても、撮像レンズユニット側電気接点１２１、あるいは本体側電気接点１７０への静電気の放電は回避され、撮像レンズユニット１１０内の素子が破壊したり誤動作したりすることが防止される。
【００７５】
ここで、撮像レンズユニット１１０の外装１２２を金属製の外装とした場合には、外装１２２も双方のグランドと同電位になるので、撮像レンズユニット１１０全体の静電気による破壊や誤動作の発生を防止することができる。
【００７６】
また、カメラ本体１５０の外装１７５を金属製の外装とした場合には、カメラ本体１５０のグランドは外装１７５に接続されているので、マウントバリア１５２がいかなる状態であってもカメラ本体１５０のグランドと同電位となり、カメラ本体１５０全体の静電気による破壊や誤動作の発生を防止することができる。
【００７７】
なお、本実施形態では、撮像レンズユニット１１０の底面に、カメラ本体１５０に向かって突出した押圧部１２０を設けた例を示したが、撮像レンズユニットの押圧部、すなわちマウントバリアを押圧する部分は平坦な部材で構成し、マウントバリア側に撮像レンズユニットに向かって突出して、撮像レンズユニットの平坦な押圧部に当接する部分を設けてもよく、また、撮像レンズユニットに突出した押圧部を設けるとともにマウントバリアにも、その押圧部に当接する突出した部分を設けてもよい。
【００７８】
また、撮像レンズユニットとマウントバリアとが接触する状態で双方の電気接点間に十分な距離を確保することができる場合は、押圧部１２０を突出させずに、平坦な形状の部材で押圧部を形成しその押圧部と当接するマウントバリアも平坦な形状としてもよい。
【００７９】
また、以下に説明するように、押圧部を、該押圧部のマウントバリア側を向く面に、一つ又は複数の突起を形成した構成としてもよい。
【００８０】
次に、撮像レンズユニットに形成される押圧部の種々の態様について説明する。
【００８１】
図６は、撮像レンズユニットに形成された押圧部の一態様を示す図である。
【００８２】
図６に示すように、この撮像レンズユニット１１０には、装着時にマウントバリア側を向く面の中央にマウントバリアに向いて突出した突起１４１を有する押圧部１２０が形成されている。
【００８３】
この突起１４１は、例えば図２に示したカメラ本体１５０のマウントバリア１５２表面のほぼ中央部に形成された板状のグランド接点１３０と接触する。これにより、板状のグランド接点１３０と、撮像レンズユニットの押圧部１２０との接触が容易となるので、静電気の放電による破壊からカメラシステムを確実に保護することができる。
【００８４】
図７は、撮像レンズユニットに形成された押圧部の他の態様を示す図である。
【００８５】
図７に示すように、この撮像レンズユニット１１０には、装着時にマウントバリア側を向く面に、該面の中央部を取り巻くように形成された、マウントバリアに向けて突出した複数の突起１４２を有する押圧部１２０が形成されている。
【００８６】
これらの突起１４２は、例えば後述するマウントバリア側のグランド接点１３１（図８参照）、又はグランド接点１３２（図９参照）と接触することにより、カメラ本体側のグランド接点と、撮像レンズユニットの押圧部との接触抵抗を低下させることが可能となるので、静電気の放電による破壊からカメラシステムを確実に保護することができる。
【００８７】
次に、上記押圧部と接触するグランド接点の種々の態様について説明する。
【００８８】
図８は、マウントバリアに形成されたグランド接点の一態様を示す図である。
【００８９】
前述のように、カメラ本体１５０のマウントバリア１５２表面のほぼ中央部に形成された板状のグランド接点１３０（図２参照）について説明したが、図８には、カメラ本体１５０の電気的なグランドに接続された、マウントバリア１５２表面に形成された環状のグランド接点１３１が示されている。
【００９０】
このグランド接点１３１は、前述の、装着時にマウントバリア側を向く面に、該面の中央部を取り巻くように形成された、マウントバリアに向けて突出した複数の突起１４２を有する押圧部１２０（図７参照）と接触してカメラ本体と撮像レンズユニットとを同電位とする。
【００９１】
このようにグランド接点１３１を環状に形成することにより、上記複数の突起との接触抵抗を低下させることが可能となるので、静電気の放電による破壊からカメラシステムを確実に保護することができ、また、マウントバリア１５２の中央部に形成された空所を他の目的に利用することができる。
【００９２】
図９は、マウントバリアに形成されたグランド接点の他の態様を示す図である。
【００９３】
図９には、カメラ本体１５０の電気的なグランドに接続された、マウントバリア１５２表面に、マウントバリア１５２の中央部を取り巻くように配置された３つのグランドパッド１３３からなるグランド接点１３２が示されている。
【００９４】
このグランド接点１３２の３つのグランドパッド１３３は、前述の、装着時にマウントバリア側を向く面に、該面の中央部を取り巻くように形成された、マウントバリアに向けて突出した３つの突起１４２を有する押圧部１２０（図７参照）と接触してカメラ本体と撮像レンズユニットとを同電位とする。
【００９５】
このように複数のグランドパッド１３３からなるグランド接点１３２を形成することにより、図８におけるグランド接点１３１と同様に、突起との接触抵抗を低下させることが可能となるので、静電気の放電による破壊からカメラシステムを確実に保護することができ、また、マウントバリア１５２に形成された空所を他の目的に利用することができる。
【００９６】
図１０は、各種態様のカメラ本体および撮像レンズユニットの組合わせの成否を示す図である。
【００９７】
図１０に示すように、図２に示したグランド接点を有するカメラ本体と図６、図７に示したグランド接点を有する撮像レンズユニットとの組合わせは成立することが示されている。また、図８に示したグランド接点を有するカメラ本体と、図７に示したグランド接点を有する撮像レンズユニットとの組合わせは成立するが、図６に示したグランド接点を有する撮像レンズユニットとの組合わせは成立しないことが示されている。また、図９に示したグランド接点を有するカメラ本体と、図７に示したグランド接点を有する撮像レンズユニットとの組合わせは成立するが、図６に示したグランド接点を有する撮像レンズユニットとの組合わせは成立しないことが示されている。
【００９８】
次に、本発明のカメラシステムの第２の実施形態について説明する。
【００９９】
図１１は、第２の実施形態のカメラシステムの撮像レンズユニット装着前の断面図である。
【０１００】
図１１に示すように、この第２の実施形態のカメラシステムは、カメラ本体１５０が、該カメラ本体１５０のグランドに接続されるとともに、撮像レンズユニット１１０装着時に該撮像レンズユニット１１０に押されてマウント部１５１の凹部奥に向けて押圧されてきたマウントバリア１５２背面に接触して、マウントバリア１５２の、グランドとしてのインピーダンスを下げる接点部材１９０を備えている。
【０１０１】
この第２の実施形態のカメラシステムは、カメラ本体１５０が上記接点部材１９０を備えていること以外は、図４に示した第１の実施形態のカメラシステムと同様の構成となっている。
【０１０２】
図１２は、第２の実施形態のカメラシステムの撮像レンズユニット装着後の断面図である。
【０１０３】
図１１に示した状態から、撮像レンズユニット１１０をカメラ本体１５０に装着するには、第１の実施形態におけると同様、撮像レンズユニット１１０に備えられた押圧部１２０により、カメラ本体１５０側のマウントバリア１５２をマウント部１５１の凹部奥に押圧し、その後撮像レンズユニットを所定の方向に回転させて、撮像レンズユニット１１０側の突起部１０１（図１参照）とカメラ本体１５０側の係合部１０２（図１参照）とを互いに係合させることにより、図１２に示した装着状態とすることができる。
【０１０４】
この第２の実施形態においても、マウント部１５１の開口は、撮像レンズユニット１１０が装着されていない時にはマウントバリア１５２により塞がれているが、撮像レンズユニット１１０が装着される時にはマウントバリア１５２は撮像レンズユニット１１０の押圧部１２０に押されてマウント部１５１の凹部奥に向かって後退する。
【０１０５】
この後退の途中に、押圧部１２０とマウントバリア１５２に形成されているグランド接点１３０とが接触し、その結果、押圧部１２０に接続されている撮像レンズユニット１１０側のグランドである導体１２４と、バネ１７１を介してグランド接点１３０に接続されているカメラ本体１５０側のグランドである導体１７４とが互いに接続され、撮像レンズユニット１１０のグランドとカメラ本体１５０側のグランドとが同電位となる。
【０１０６】
こうして、バネ１７１を介して撮像レンズユニット１１０のグランドとカメラ本体１５０側のグランドとが同電位となった後に、撮像レンズユニット１１０に押されてマウント部１５１の凹部奥に向けて押圧されてきたマウントバリア１５２の背面１５２ａが、上記の接点部材１９０に接触する。
【０１０７】
この接点部材１９０、および接点部材１９０を支持し、接点部材１９０をカメラ本体１５０側のグランドである導体１７４と接続する支持部材１９１は、低インピーダンスの材料で構成されているので、撮像レンズユニット１１０のグランドとカメラ本体１５０側のグランドとの接触状態を十分に低いインピーダンスとすることができる。
【０１０８】
このように、第２の実施形態では、撮像レンズユニット１１０のグランドとカメラ本体１５０のグランドとは、第１の実施形態におけるバネ１７１（図５参照）を介してのグランドよりも低インピーダンスで接続されるので、このカメラシステムは静電気の放電による破壊に対してより安全なものとなる。
【０１０９】
こうして、撮像レンズユニット１１０のグランドとカメラ本体１５０のグランドとが同電位となった状態で、撮像レンズユニット１１０がマウント部１５１の凹部奥まで挿入され、撮像レンズユニット１１０がレンズ光軸を中心に所定の方向に回転されることにより前述の突起部１１０（図１参照）と係合部１０２（図１参照）とが係合され、それとともに、本体側電気接点１７０と撮像レンズユニット側電気接点１２１とが接続される。
【０１１０】
なお、本発明による方式は必ずしもカメラシステムに限ったことではなく、ユニットどうしの接続やカバー付きのコネクタ部分などにも利用可能である。
【図面の簡単な説明】
【０１１１】
【図１】本発明のカメラシステムの各実施形態に共通の外観図である。
【図２】図１に示すカメラシステムの撮像レンズユニット装着時のカメラ本体を示す図である。
【図３】本発明のカメラシステムの各実施形態に共通のブロック図である。
【図４】第１の実施形態のカメラシステムの撮像レンズユニット装着前の断面図である。
【図５】第１の実施形態のカメラシステムの撮像レンズユニット装着後の断面図である。
【図６】撮像レンズユニットに形成された押圧部の一態様を示す図である。
【図７】撮像レンズユニットに形成された押圧部の他の態様を示す図である。
【図８】マウントバリアに形成されたグランド接点の一態様を示す図である。
【図９】マウントバリアに形成されたグランド接点の他の態様を示す図である。
【図１０】各種態様のカメラ本体および撮像レンズユニットの組合わせの成否を示す図である。
【図１１】第２の実施形態のカメラシステムの撮像レンズユニット装着前の断面図である。
【図１２】第２の実施形態のカメラシステムの撮像レンズユニット装着後の断面図である。
【符号の説明】
【０１１２】
１００    カメラシステム
１０１    突起部
１０２    係合部
１１０    撮像レンズユニット
１１１    撮影光学系
１１２    撮像素子
１１３    アナログ処理回路
１１４    Ａ／Ｄ変換器
１１５    パラレル／シリアル変換伝送インターフェース
１１６    ＡＥ／ＡＦ制御回路
１１７    サブＣＰＵ
１１８    撮像レンズユニット操作部
１１９    ＤＣ／ＤＣコンバータ
１２０    押圧部
１２１    撮像レンズユニット側電気接点
１２２    外装
１２４    導体
１３０，１３１，１３２    グランド接点
１３３    グランドパッド
１４１，１４２    突起
１５０    カメラ本体
１５１    マウント部
１５２    マウントバリア
１５３    カメラ本体操作部
１５４    ＣＰＵ
１５５    パラレル／シリアル変換伝送インターフェース
１５６    メモリコントローラ
１５７    Ｄ／Ａ変換器
１５８    表示部
１５９    メディアインターフェース
１６０    コネクタ
１６１    メモリバッファ
１６２    信号処理ブロック
１６３    圧縮伸長ブロック
１６４    電源部
１７０    本体側電気接点
１７１    バネ
１７２    マウントホルダ
１７３    回路基板
１７４    導体
１７５    外装
１８０    記憶媒体
１９０    接点部材
１９１    支持部材
【図１】
2005316437.tif 000003
【図２】
2005316437.tif 000004
【図３】
2005316437.tif 000005
【図４】
2005316437.tif 000006
【図５】
2005316437.tif 000007
【図６】
2005316437.tif 000008
【図７】
2005316437.tif 000009
【図８】
2005316437.tif 000010
【図９】
2005316437.tif 000011
【図１０】
2005316437.tif 000012
【図１１】
2005316437.tif 000013
【図１２】
2005316437.tif 000014